(57)【要約】【課題】誰でも簡単かつ手軽に、そしてきれいに装着することができ、特別な技術力がなくても楽しむことができるネイルシールを提供する。【解決手段】平坦面を有する剥離材層（１２）と、平坦面を有するフィルム（２２）と、剥離材層とフィルムを剥離可能に粘着する粘着剤層（１４）とを有し、フィルムは、塩化ビニル樹脂を主成分とする基材層（２６）と、基材層上に少なくとも部分的に設けられた絵柄層（２８）と、絵柄層が形成された領域及び該絵柄層が形成されていない領域を含む全面にわたって被覆する保護層（３６）とをこの順に有し、更に基材層又は絵柄層と保護層を固着する接着剤層（２４）を有する。【選択図】  図２
2012223513.tif 000002
【特許請求の範囲】
【請求項１】
平坦面を有する剥離材層（１２）と、平坦面を有するフィルム（２２）と、該剥離材層と該フィルムを剥離可能に粘着する粘着剤層（１４）とを有し、
前記フィルムは、塩化ビニル樹脂を主成分とする基材層（２６）と、該基材層上に少なくとも部分的に設けられた絵柄層（２８）と、該絵柄層が形成された領域及び該絵柄層が形成されていない領域を含む全面にわたって被覆する保護層（３６）とをこの順に有し、更に前記基材層又は絵柄層と前記保護層を固着する接着剤層（２４）を有する
ことを特徴とするネイルシール。
【請求項２】
前記フィルムは、厚さが７０μｍから２００μｍであり、伸び率が１００％から２００％であることを特徴とする請求項１記載のネイルシール。
【請求項３】
前記基材層がＬＡＧプロテクト（登録商標）Ｇ−２７であることを特徴とする請求項１又は２記載のネイルシール。
【請求項４】
前記保護層がＬＡＧプロテクト（登録商標）Ｇ−２７であることを特徴とする請求項３記載のネイルシール。
【発明の詳細な説明】
【技術分野】
【０００１】
本発明は、爪に貼付するネイルシールに関する。
【背景技術】
【０００２】
ファッションの一部として、手や足の爪に装飾を施すネイルアートが、特に女性の間で流行っている。手や足の爪に装飾を施す方法としては、マニキュア等を用いて爪に直接色や模様を施す方法や装飾が施された人工爪を直接爪に貼り付ける方法があるが、一般人が行う場合その技術に限界がある。
【０００３】
支持シート上に積層された透明層、絵柄層及び接着剤層を有する転写部を備え、透明層が接着剤層を介して爪に転写された転写部の表面に塗布されるトップコートに対して溶解性を有するネイルアート用転写シール（特許文献１参照）は、低コストで着装方法が簡便であるが、絵柄がインク等を用いて印刷されていることから、耐水性が低く。また、爪に貼り付けた後、更にトップコートを塗布するので、乾燥がかかり不便である。
【０００４】
簡便な方法として、模様が印刷されたシートを爪に貼るか、透明シートに模様が印刷されたシートを貼った上に、透明なシートを組み合わせるネイルシートが開発されている（特許文献２参照）。また、一面が接着性を有するシートの他面に、電子写真方式により形成されたトナーによる絵柄像が形成されているネイルアートが開発されている（特許文献３参照）。
【先行技術文献】
【特許文献】
【０００５】
【特許文献１】特開２００４−３３７６０１号公報（段落[０００９]）
【特許文献２】特開２００９−１１７６３号公報
【特許文献３】特開２０１０−２５０１３８号公報（段落[０００８]）
【発明の概要】
【発明が解決しようとする課題】
【０００６】
上記特許文献２記載の発明は、トップコートを塗布する必要がないというメリットがあるが、専用のカッターを使用するため、該カッターを保持していないときにはネイルアートを行うことができない欠点がある。
【０００７】
上記特許文献３記載の発明は、ネイルシールにおける絵柄像が電子写真方式により形成されたトナーにより形成されているので耐水性が高く、またトップコートを塗布しないメリットはあるが、絵柄像の形性に発明の特徴があり、支持体（「基材」ともいう）その他の構成についてはほとんど開示されていない。
【０００８】
本発明は、前記課題を解決し、誰でも簡単かつ手軽に、そしてきれいに装着することができ、特別な技術力がなくても楽しむことができるネイルシールを提供することを目的とする。
【課題を解決するための手段】
【０００９】
そこで本発明者は、従来の技術に見られる欠点に鑑み鋭意研究を重ねた結果、ネイルシール（１）が、平坦面を有する剥離材層（１２）と、平坦面を有するフィルム（２２）と、剥離材層とフィルムを剥離可能に粘着する粘着剤層（1４）とを有し、フィルムは、塩化ビニル樹脂を主成分とする基材層（２６）と、基材層上に少なくとも部分的に設けられた絵柄層（２８）と、絵柄層が形成された領域及び絵柄層が形成されていない領域を含む全面にわたって被覆する保護層（３６）とをこの順に有し、更に基材層又は絵柄層と保護層を固着する接着剤層（２４）を有する点に着眼し、かかる知見に基づき本発明を完成させた。
【発明の効果】
【００１０】
本発明に係るネイルシールによれば、剥離材層とフィルムが剥離可能に粘着され、フィルムを構成する基材層は塩化ビニル樹脂を主成分とし、プリントされた絵柄は保護層によって保護される。したがって、絵柄のあるフィルムを剥離材層から剥がして簡単かつきれいに爪に貼り付けることができ、該貼付に特別な技術力は必要ない。
【図面の簡単な説明】
【００１１】
【図１】本発明の一実施形態に係るネイルシール示し、図１（ａ）は平面図、図１（ｂ）は側面図である。
【図２】図１（ａ）のＡ-Ａ線矢視断面図である。
【図３】本発明の一実施の形態に係るネイルシールの製造方法を示すフロー図である。
【図４】図４（ａ）及び（ｂ）はそれぞれ図３のステップＳ５及びＳ６の製造品を示す平面図である。
【図５】引張試験の結果を示す荷重−ストローク線図である。
【図６】本発明のネイルシールの使用方法を示す説明図である。
【発明を実施するための形態】
【００１２】
以下、添付図面を参照しながら本発明の実施の形態について詳細に説明する。なお、図において同一構成部材には同一符号を付し、その重複する説明は省略する。また、絵柄層等の各層は連続的に表されているが、不連続である場合もあり、寸法も実際の各寸法の比を表している訳ではなく、図面は単に概略図として表したものである。さらに、本明細書において、「爪」とは、特に指定されない限り、ヒト又はその他の動物の足及び手の爪、ならびに人工爪のいずれも含む。
【００１３】
図１は、本発明の一実施形態に係るネイルシール１を示し、図１（ａ）は平面図、（ｂ）は側面図である。このネイルシール１は、平面視四角形の剥離材層１２上（図１（ａ）において紙面の裏から表方向、（ｂ）において紙面の下から上方向）に、人の指の形状を有し、絵柄（図示せず）がプリントされたフィルム２２が剥離可能に粘着されている。
【００１４】
図２は、図１（ａ）のＡ-Ａ線矢視断面図である。積層構造を明確に示すため上下方向に強調拡大して表わされている。ネイルシール１は、平坦面を有する剥離材層１２と平坦面を有するフィルム２２の間に粘着剤層１４を有し、粘着剤層１４は剥離材層１２とフィルム２２を剥離可能に粘着する粘着剤からなる。
フィルム２２は、基材層２６と、基材層２６にプリントされた絵柄（図示せず）からなる絵柄層２８と、該絵柄層２８を保護する保護層３６とがこの順に積層され、保護層３６は接着剤層２４によって基材層２６又は絵柄層２８に固着されている。
【００１５】
フィルム２２の厚さは通常７０〜２００μｍが好ましく、更に好ましくは１００〜１５０μｍである。厚さが７０μｍより薄いと爪に装着したとき爪自体の凹凸が現れるためカバーとしての効果が低くなり、２００μｍより厚いと硬くて装着しづらくなる。
フィルム２２の伸び率は通常１００〜２００％が好ましく、更に好ましくは１４０〜１８０％である。伸び率が１００％より小さいと硬くて爪に装着するときシワになり易く、使用時に爪から剥がれ易い。伸び率が２００％より高いと柔らかすぎて耐久性が弱くなる。
【００１６】
剥離材層１２は、ネイルシール１を使用するときまでフィルム２２を貼り付けておく。使用時には剥がすことができるように、フィルム２２は剥離材層１２に剥離可能に粘着されている。剥離材層１２は半透明であるのが好ましい。半透明であると、使用者がネイルシール１の裏側（図１（ａ）において紙面裏側）に指の爪をあて表側から見ると剥離材層１２を通して爪を見ることができるので、剥離材層１２にフィルム２２が粘着されている状態で使用者の爪に適するサイズのフィルム２２を選ぶことができる。逆に、不透明であると裏側に爪をあてても表側から剥離材層１２を通して見ることができない。一方、剥離材層１２が透明であれば、後述する切断機で正確な位置を認識できない場合があるという欠点がある。
【００１７】
粘着剤層１４は、基材層２６と剥離材層１２を剥離可能に貼り付け、使用時、フィルム２２を剥離材層１２から剥がしたとき基材層２６に粘着した状態で剥離材層１２から剥離可能であり、かつ爪に剥離可能に貼付可能な任意の粘着剤によって形成される。例えばアクリル系粘着剤が好ましい。粘着剤層１４は、フィルム２２を爪に安定に保持する必要があり、特に医療用粘着剤により形成された粘着剤が好ましいが、それに限定されるものではない。
【００１８】
フィルム２２は、基材層２６と、絵柄層２８と、保護層３６と、基材層２６又は絵柄層２８と保護層３６を固着する接着剤層２４を有するので、以下これら各構成について説明する。
【００１９】
まず、基材層２６は、その一面には絵柄がプリントされ、他面は使用時、粘着剤層１４を介して爪に貼られる。したがって、絵柄を簡単かつ綺麗にプリントできる材質である必要がある。次に、熱風機などで温めなくても貼ることができる柔らかさを有していることが好ましいが、シワなく貼るためには柔らかすぎないことも大切である。更に、爪から簡単に剥がすことができることも重要な要素となる。
【００２０】
上記観点から発明者が鋭意検討した結果、基材層は塩化ビニル樹脂を主成分とする材料が好ましいことが判明した。例えば、リンテック社製ＬＡＧプロテクト（登録商標）Ｇ−０２７が好ましい。その厚さは３５〜１００μｍが好ましく、４５〜７０μｍであることがより好ましい。
【００２１】
絵柄層２８は、基材層２６上にプリントされた絵柄（図１及び２において図示せず）からなる。図２では、基材層２６は、その上に絵柄層２８が全面覆われて表わされているが、絵柄によってはその一部分だけの場合もあり得る。また、本実施形態ではプリンタによって絵柄がプリントされるときに基材層２６がインク成分によって一部溶融される。このため絵柄層２８がある部分の基材層２６の厚さは、絵柄層２８がない部分よりも薄くなることが考えられる。この場合であっても、絵柄層２８の表面が基材層２６の面よりも盛り上がることがあり得る。
【００２２】
保護層３６は、絵柄層２８が形成された領域及び絵柄層２８が形成されていない基材層２６の領域を含む全面にわたって基材層２６を被覆する層であり、爪に貼った際に光沢感がでる素材であることが好ましい。更に、無色であり、爪の形状にあわせてヤスリがけでき、使用者の爪の凹凸を補償できる材質が望まれる。基材層２６同様、耐水性、耐油性、耐久性があり、紫外線透過率が低い、例えば１２％以下であることが好ましい。このことによって、プリントされた絵柄の耐候性や色褪せ防止がある。また、上記観点から基材層２６と同様に、塩化ビニル樹脂を主成分とする材料であるが好ましく、例えばリンテック社製ＬＡＧプロテクト（登録商標）Ｇ−０２７がより好ましい。
【００２３】
接着剤層２４は、保護層３６と絵柄層２８又は基材層２６を固着する接着剤からなる。この接着剤は、保護層３６の上から透過して見た絵柄層２８の絵柄を汚さないものであれば特に限定されないが、例えばアクリル系接着剤が使用できる。特に医療用接着剤により形成された接着剤が好ましいが、それに限定されるものではない。
【００２４】
［製造方法］
図３は、本実施形態に係るネイルシールの製造方法を示す。
ステップＳ１では、製造されたネイルシールにおいて基材層２６を構成するシート（「基材シート」ということがある。例えば、ＬＡＧプロテクト（登録商標）Ｇ−０２７  厚さ５０μｍ，幅１，２７０ｍｍ）に所定の絵柄を多数規則的にオンデマンド印刷によるデジタル印刷機（例えば、Ｒｏｌａｎｄ  ＤＧ製ＶＳ−６４０）によりプリントする。
【００２５】
ステップＳ２では、Ｓ１において絵柄がプリントされた基材シートに、製造されたネイルシールにおいて保護層３６を構成するシート（「保護シート」ということがある。例えば、ＬＡＧプロテクトＧ−０２７（商標）厚さ５０μｍ，幅１，２７０ｍｍ）を上から貼り、製造されたネイルシールにおいてフィルム２２を構成するシート（「フィルムシート」ということがある。）を製造する。
【００２６】
ステップＳ３では、Ｓ２において製造されたフィルムシートから基材シート納入時に貼られていた剥離材を剥がし、製造されたネイルシールにおいて剥離材層１２を構成するシート（「剥離材シート」ということがある。例えば、Ｓマット１００，幅１，０００ｍｍ，半透明）に張り替え、切断されてネイルシール１０（図４（ｂ）参照）を構成するシート（「ネイルシールシート」ということがある。）を製造する。ステップＳ３で、基材シート納入時に剥離材を貼り付けていた粘着剤は、該剥離材を剥がしたとき基材シートに付いた状態であるので、貼り換える剥離材シートに粘着剤が付いてなくても基材シートと剥離材シートは剥離可能に貼り付けられる。
【００２７】
ステップＳ４は、ステップＳ３で製造されたネイルシールシートを最下層の剥離材シートを残してカットマシン（例えば、Ｒｏｌａｎｄ  ＤＧ製ＧＸ−５００）で複数の爪又は指の形状にカットする。爪の大きさ又は指の太さはヒトによって、また同一人でも親指であるか小指であるかなどによって異なるので、その大きさ又は太さを適宜設定する。
【００２８】
ステップＳ５では、Ｓ４においてフィルムシートが複数の爪又は指の形状にカットされたネイルシールシートを製品の大きさに切断する。例えば、製品１つの大きさは、縦３５ｍｍ、横１２２ｍｍであり、図４（ａ）に示すように、サイズ（幅）の異なるフィルム２２が８つ並んで構成される。
【００２９】
ステップＳ６では、ステップＳ５で所定の大きさに切断されたフィルム２２以外の部分（カス１０ａ）を取り除くことによって、図４（ｂ）に示すように本実施形態に係るネイルシール１０が製造される。
【００３０】
本発明に係るネイルシールによれば、剥離材層１２とフィルム２２の一面が粘着剤層１４によって剥離可能に粘着され、塩化ビニル樹脂を主成分とする基材層２６には絵柄がプリントされているので、絵柄がプリントされたフィルム２２を剥離材層１２から剥がして使用者の爪に簡単、かつきれいに装着することができる。また、絵柄は保護層３６で保護されているので、外部からの力による損傷を受けにくく、長時間にわたって美しさを保つことができる。
【実施例】
【００３１】
本実施例のネイルシールは、次の材料から構成される。
＜ネイルシールの構成＞
保護層      ＬＡＧプロテクト（登録商標）Ｇ−２７（リンテック社）
接着剤層    アクリル系粘着剤（ＬＡＧプロテクトＧ−２７）
絵柄層      溶剤インク  ＥＣＯ−ＭＡＸ（ローランド・ディー・ジー社）
基材層      ＬＡＧプロテクト（登録商標）Ｇ−２７（リンテック社）
粘着剤層    アクリル系粘着剤（ＬＡＧプロテクトＧ−２７）
剥離材層    ＥＴ  Ｓマット１００（リンテック社）
【００３２】
＜引張試験＞
上記構成のネイルシールについて、剥離材層を剥がした後（本実施例において「フィルム」という。）、オートグラフＡＧ−Ｘ測定試験機（島津製作所）及びフィルム用引張専用冶具を使用し引張試験を行った。試験条件は、引張速度  ５００ｍｍ／分、試験温度  ２３℃、ロードセル  １ＫＮとした。厚みは、剥離材層を剥がして測定した。
ネイルシールを構成する基材層（本実施例において「基材」という。）についても、引張試験及び厚さ測定を上記と同様な方法及び条件で行った。
【００３３】
【表１】
2012223513.tif 000003
【００３４】
表１は、引張試験の結果を示す。表１からわかるように、フィルム及び基材の評点距離は、いずれも試験前は５０.０ｍｍであったが、試験後はそれぞれ１２５．０ｍｍ及び１２２．０ｍｍになった。したがって、伸び率はそれぞれ１５０％及び１４４％である。フィルムの伸び率が基材の伸び率よりやや高かったが、いずれも好ましい範囲内であった。
【００３５】
図５は、引張試験における荷重−ストローク線図である。図５からわかるように、フィルム及び基材の荷重（Ｎ）は、いずれもストロークの開始とともに急激に上昇し３８Ｎ及び１６Ｎ程度に達するが、その後はストローク上昇とともに緩やかに上昇する。切断する直前に最大荷重（試験力）５３Ｎ及び２６Ｎを示し、切断すると急激に荷重は下がりゼロになる。このように最大荷重（試験力）は、フィルムが基材より厚さ同様２倍ほど大きいが、伸び率は両者にそれ程差がないことがわかる。
【００３６】
図６は、本発明のネイルシール１０の使用方法を示す。図６の（ａ）に示すように、ネイルシール１０から爪にあったフィルム２２を選び、フィルム２２を剥離材層（図示せず）から剥がす。次に（ｂ）に示すように、フィルム２２を甘皮の方から爪先に向けて貼り付ける。３番目に（ｃ）に示すように、爪からはみ出した部分をネイルファイル（Ｆ）で削り落す。４番目に（ｄ）に示すように、フィルム２２全体を爪になじませるように押さえる。上記（ａ）〜（ｄ）の手順を繰り返して、（ｅ）に示すように、両手のすべての指にフィルム２２を貼り付けることによって完成する。
【００３７】
本実施例のネイルシールは、特別な技術力を有さない一般の人であっても、剥離材層からフィルムを剥がし、簡単かつきれいに爪に貼り付けることができた。
【産業上の利用可能性】
【００３８】
本発明のネイルシールは、ファッションの一部として手や足の爪に装飾を施すネイルアートとして、特に女性が使用する爪用装飾シールとして利用することができる。
【符号の説明】
【００３９】
１，１０  ネイルシール
１２    剥離材層
１４    粘着剤層
２２    フィルム
２４    接着剤層
２６    基材層
２８    絵柄層
３６    保護層
【図１】
2012223513.tif 000004
【図２】
2012223513.tif 000005
【図３】
2012223513.tif 000006
【図５】
2012223513.tif 000007
【図４】
2012223513.tif 000008
【図６】
2012223513.tif 000009